(57)【要約】【課題】廃棄物埋立地内などにおいて、水中から水底下方への水の浸入を防止するために、水底における遮水作業を水中でする場合に、この遮水作業が容易にできるようにする。【解決手段】水底５に沿って延び、かつ、互いに隣り合うよう並設される両遮水シート７，８の互いの対向縁部９，１０の接合部構造である。両対向縁部９，１０のうち、一方の対向縁部９に沿って長く延び、その幅方向の一端縁部１７ａが一方の対向縁部９に取り付けられる一方、他端縁部１７ｂが他方の対向縁部１０側に向けて突出し、この他方の対向縁部１０をその上方から覆う帯形状の被覆シート１７と、他方の対向縁部１０と被覆シート１７との間の空間２０に充填された遮水材２１とを備える。【選択図】図１
2008023487.tif 000002
【特許請求の範囲】
【請求項１】
水底に沿って延び、かつ、互いに隣り合うよう並設される両遮水シートの互いの対向縁部の接合部構造であって、
上記両対向縁部のうち、一方の対向縁部に沿って長く延び、その幅方向の一端縁部が上記一方の対向縁部に取り付けられる一方、他端縁部が上記他方の対向縁部側に向けて突出し、この他方の対向縁部をその上方から覆う帯形状の被覆シートと、上記他方の対向縁部と被覆シートとの間の空間に充填された遮水材とを備えたことを特徴とする水底における遮水シート同士の接合部構造。
【請求項２】
上記他方の対向縁部に沿って長く延び、その幅方向の一端縁部が上記他方の対向縁部に取り付けられる一方、他端縁部が上記被覆シート側に向けて突出し、この被覆シートをその上方から覆う帯形状の他の被覆シートと、上記両被覆シートの間の空間に充填された上記遮水材とを備えたことを特徴とする請求項１に記載の水底における遮水シート同士の接合部構造。
【請求項３】
上記空間に挿入され、流動状態の上記遮水材が通過可能なスペーサを備えたことを特徴とする請求項１、もしくは２に記載の水底における遮水シート同士の接合部構造。
【請求項４】
上記各被覆シートに複数の貫通孔を形成し、流動状態の上記遮水材が上記各貫通孔を通過可能にしたことを特徴とする請求項１から３のうちいずれか１つに記載の水底における遮水シート同士の接合部構造。
【請求項５】
水底に沿って延び、かつ、互いに隣り合うよう並設される両遮水シートの互いの対向縁部を接合させる接合方法であって、
上記両対向縁部のうち、一方の対向縁部に沿って長く延びる帯形状の被覆シートを設け、この被覆シートの幅方向の一端縁部を上記一方の対向縁部に取り付ける一方、他端縁部を上記他方の対向縁部側に向かって突出させ、
次に、上記両遮水シートを水底に設置し、上記被覆シートにより他方の対向縁部をその上方から覆い、
次に、上記両対向縁部と被覆シートとを水平方向の各外方と上方とから取り囲む囲繞体を上記両遮水シート上に形成し、
次に、上記囲繞体の内部に流動状態の遮水材を注入して、この遮水材を上記他方の対向縁部と被覆シートとの間の空間に充填させるようにしたことを特徴とする水底における遮水シート同士の接合方法。
【発明の詳細な説明】
【技術分野】
【０００１】
本発明は、管理型廃棄物埋立地の埋立地内などで、水中から水底下方への水の浸入を防止するよう複数の遮水シートを並設する場合において、これら遮水シート同士を水中で接合することを可能にした水底における遮水シート同士の接合部構造、および遮水シート同士の接合方法に関するものである。
【背景技術】
【０００２】
上記水底における遮水シート同士の接合部構造には、従来、下記特許文献１に示されるものがある。この公報のものによれば、水底に沿って延び、かつ、互いに並設される複数の遮水シートが設けられている。そして、互いに隣り合う両遮水シートの互いの対向縁部のうち、一方の対向縁部の上面側に他方の対向縁部が重ね合わされている。また、上記両遮水シートに跨るように、防水シートが設けられている。この防水シートの下面には、水中で硬化する接着剤が塗布されている。この接着剤により、水中において上記防水シートが上記両遮水シートに跨る所定位置に接着され、これにより、上記両遮水シートの間のシールが達成されて、これら両遮水シートが互いに結合されるようになっている。
【０００３】
そして、上記各遮水シート、防水シート、および接着剤により、水中から水底下方への水の浸入が防止され、つまり、水底での遮水が達成される。このため、例えば、埋め立てのために廃棄物を水中に投棄したような場合に、この水中から水底下方への水（保有水）の浸入が防止され、水底下方の土壌や地下水が汚染される、ということが防止される。
【０００４】
ここで、上記水底に対し上記各遮水シートなどを設置することにより、水底での遮水作業をしようとする場合には、まず、各遮水シートが水底に設置される。次に、互いに隣り合う両遮水シートに跨る所定位置に対し、上記防水シートが精度よく位置決めされて、接着剤により接着させられる。これにより、上記遮水作業が終了する。
【特許文献１】特開２００２−５９１０９号公報
【発明の開示】
【発明が解決しようとする課題】
【０００５】
ところで、上記水底での遮水作業においては、上記防水シートは、水中にあって自由に揺れ動こうとしがちである。このため、この防水シートを上記所定位置に対し精度よく位置決めする、ということは容易でない。よって、上記従来の技術では、水底での遮水作業は煩雑になるおそれがある。
【課題を解決するための手段】
【０００６】
本発明は、上記のような事情に注目してなされたもので、本発明の目的は、廃棄物埋立地内などにおいて、水中から水底下方への水の浸入を防止するために、水底における遮水作業を水中でする場合に、この遮水作業が容易にできるようにすることである。
【０００７】
請求項１の発明は、水底５に沿って延び、かつ、互いに隣り合うよう並設される両遮水シート７，８の互いの対向縁部９，１０の接合部構造であって、
上記両対向縁部９，１０のうち、一方の対向縁部９に沿って長く延び、その幅方向の一端縁部１７ａが上記一方の対向縁部９に取り付けられる一方、他端縁部１７ｂが上記他方の対向縁部１０側に向けて突出し、この他方の対向縁部１０をその上方から覆う帯形状の被覆シート１７と、上記他方の対向縁部１０と被覆シート１７との間の空間２０に充填された遮水材２１とを備えたものである。
【０００８】
請求項２の発明は、請求項１の発明に加えて、上記他方の対向縁部１０に沿って長く延び、その幅方向の一端縁部１８ａが上記他方の対向縁部１０に取り付けられる一方、他端縁部１８ｂが上記被覆シート１７側に向けて突出し、この被覆シート１７をその上方から覆う帯形状の他の被覆シート１８と、上記両被覆シート１７，１８の間の空間２３に充填された上記遮水材２１とを備えたものである。
【０００９】
請求項３の発明は、請求項１、もしくは２の発明に加えて、上記空間２０，２３に挿入され、流動状態の上記遮水材２１が通過可能なスペーサ２４を備えたものである。
【００１０】
請求項４の発明は、請求項１から３のうちいずれか１つの発明に加えて、上記被覆シート１７，１８に複数の貫通孔２６を形成し、流動状態の上記遮水材２１が上記各貫通孔２６を通過可能にしたものである。
【００１１】
請求項５の発明は、水底５に沿って延び、かつ、互いに隣り合うよう並設される両遮水シート７，８の互いの対向縁部９，１０を接合させる接合方法であって、
上記両対向縁部９，１０のうち、一方の対向縁部９に沿って長く延びる帯形状の被覆シート１７を設け、この被覆シート１７の幅方向の一端縁部１７ａを上記一方の対向縁部９に取り付ける一方、他端縁部１７ｂを上記他方の対向縁部１０側に向かって突出させ、
次に、上記両遮水シート７，８を水底５に設置し、上記被覆シート１７により他方の対向縁部１０をその上方から覆い、
次に、上記両対向縁部９，１０と被覆シート１７とを水平方向の各外方と上方とから取り囲む囲繞体３５を上記両遮水シート７，８上に形成し、
次に、上記囲繞体３５の内部に流動状態の遮水材２１を注入して、この遮水材２１を上記他方の対向縁部１０と被覆シート１７との間の空間２０に充填させるようにしたものである。
【００１２】
なお、この項において、上記各用語に付記した符号は、本発明の技術的範囲を後述の「実施例」の項や図面の内容に限定解釈するものではない。
【発明の効果】
【００１３】
本発明による効果は、次の如くである。
【００１４】
請求項１の発明は、水底に沿って延び、かつ、互いに隣り合うよう並設される両遮水シートの互いの対向縁部の接合部構造であって、
上記両対向縁部のうち、一方の対向縁部に沿って長く延び、その幅方向の一端縁部が上記一方の対向縁部に取り付けられる一方、他端縁部が上記他方の対向縁部側に向けて突出し、この他方の対向縁部をその上方から覆う帯形状の被覆シートと、上記他方の対向縁部と被覆シートとの間の空間に充填された遮水材とを備えている。
【００１５】
このため、上記水底に対し上記各遮水シートなどを設置することにより、上記水底での遮水作業をしようとするときには、まず、上記両遮水シートを水底に設置し、上記被覆シートにより他方の対向縁部をその上方から覆い、次に、流動状態の遮水材を上記他方の対向縁部と被覆シートとの間の空間に充填させるよう注入すればよい。そして、これによれば、上記被覆シートや遮水材により上記両遮水シートの間のシールが達成されて、これら両遮水シートが互いに接合される。
【００１６】
ここで、上記発明によれば、被覆シートの一端縁部は一方の対向縁部に取り付けられていて、この一方の対向縁部に対し被覆シートは予め適正に位置決めされている。このため、上記各遮水シートを所定の相対位置となるよう水底に設置しさえすれば、上記他方の対向縁部に対しても上記被覆シートは適正に位置決めされることとなる。よって、これら各対向縁部と被覆シートとの互いの精度のよい位置決めが容易にできる分、上記水底での遮水作業が、より容易にできる。
【００１７】
請求項２の発明は、上記他方の対向縁部に沿って長く延び、その幅方向の一端縁部が上記他方の対向縁部に取り付けられる一方、他端縁部が上記被覆シート側に向けて突出し、この被覆シートをその上方から覆う帯形状の他の被覆シートと、上記両被覆シートの間の空間に充填された上記遮水材とを備えている。
【００１８】
ここで、上記したように、他の被覆シートの一端縁部は他方の対向縁部に取り付けられていて、この他方の対向縁部に対し他の被覆シートは予め適正に位置決めされている。このため、上記各遮水シートを所定の相対位置となるよう水底に設置しさえすれば、上記一方の対向縁部に対しても上記他の被覆シートは適正に位置決めされることとなる。よって、これら各対向縁部と他の被覆シートとの互いの精度のよい位置決めが容易にできる分、上記水底での遮水作業が、より容易にできる。
【００１９】
そして、前記したように、他方の対向縁部と被覆シートとの間の空間に遮水材が充填されることに加えて、上記両被覆シートの間の空間にも遮水材が充填される。よって、上記両遮水シートの間のシールがより確実に達成される。
【００２０】
請求項３の発明は、上記空間に挿入され、流動状態の上記遮水材が通過可能なスペーサを備えている。
【００２１】
このため、上記遮水作業において、上記空間に遮水材を充填しようとするとき、この遮水材の重みなどにより、上記空間が変形する、ということは上記スペーサにより防止され、この空間は所望形状に維持される。よって、この空間内への遮水材の充填が円滑かつ容易にでき、その分、上記遮水作業が更に容易にできる。
【００２２】
請求項４の発明は、上記被覆シートに複数の貫通孔を形成し、流動状態の上記遮水材が上記各貫通孔を通過可能にしている。
【００２３】
このため、上記空間に対し遮水材を充填しようとして、上記被覆シートの外方から遮水材を供給するとき、この遮水材は、上記各貫通孔を通過することにより、上記空間に円滑かつ容易に充填される。よって、その分、上記遮水作業が更に容易にできる。
【００２４】
請求項５の発明は、水底に沿って延び、かつ、互いに隣り合うよう並設される両遮水シートの互いの対向縁部を接合させる接合方法であって、
上記両対向縁部のうち、一方の対向縁部に沿って長く延びる帯形状の被覆シートを設け、この被覆シートの幅方向の一端縁部を上記一方の対向縁部に取り付ける一方、他端縁部を上記他方の対向縁部側に向かって突出させ、
次に、上記両遮水シートを水底に設置し、上記被覆シートにより他方の対向縁部をその上方から覆い、
次に、上記両対向縁部と被覆シートとを水平方向の各外方と上方とから取り囲む囲繞体を上記両遮水シート上に形成し、
次に、上記囲繞体の内部に流動状態の遮水材を注入して、この遮水材を上記他方の対向縁部と被覆シートとの間の空間に充填させるようにしている。
【００２５】
このため、前記請求項１に基づく効果が生じると共に、次の効果も生じる。
【００２６】
即ち、上記他方の対向縁部と被覆シートとの間の空間に遮水材を充填しようとするとき、この充填は上記囲繞体の内部を通して行われる。このため、上記囲繞体の容量や形状を適正に定めてやれば、上記空間に向けて注入しようとする遮水材が無用に水中に拡散する、ということが防止され、上記空間への遮水材の充填が効率よくできる。よって、その分、上記遮水作業が更に容易にできる。
【発明を実施するための最良の形態】
【００２７】
本発明の水底における遮水シート同士の接合部構造に関し、廃棄物埋立地などにおいて、水中から水底下方への水の浸入を防止するために、水底における遮水作業を水中でする場合に、この遮水作業が容易にできるようにする、という目的を実現するため、本発明を実施するための最良の形態は、次の如くである。
【００２８】
即ち、水底における遮水シート同士の接合部構造として、水底に沿って延び、かつ、互いに並設される複数の遮水シートが設けられている。互いに隣り合う両遮水シートの互いの両対向縁部のうち、一方の対向縁部に沿って長く延び、その幅方向の一端縁部が上記一方の対向縁部に取り付けられる一方、他端縁部が上記他方の対向縁部側に向けて突出し、この他方の対向縁部をその上方から覆う帯形状の被覆シートと、上記他方の対向縁部と被覆シートとの間の空間に充填された熱可塑性遮水材とが設けられている。
【実施例】
【００２９】
本発明をより詳細に説明するために、その実施例を添付の図に従って説明する。
【００３０】
図において、符号１は、海岸における廃棄物埋立地であり、２は地盤、３は海水である。
【００３１】
上記埋立地１内の水底５には樹脂（ゴムを含む）製の保護シート６が敷設されている。上記水底５に沿って延び、かつ、上記保護シート６上に互いに並設される複数の遮水シート７，８が設けられている。つまり、これら遮水シート７，８は、上記保護シート６を介し水底５上に設けられている。上記各遮水シート７，８は熱可塑性の低密度ポリエチレン製であって、剛性を有しているが、ある程度の可撓性を有し、軟化点はほぼ１１０℃、溶融開始点はほぼ２００℃である。
【００３２】
上記各遮水シート７，８のうち、互いに隣り合う両遮水シート７，８の互いの対向縁部９，１０は互いに平行に延び、かつ、互いに重ね合わされている。具体的には、上記両遮水シート７，８のうち、一方の遮水シート７の対向縁部９の上面に他方の遮水シート８の対向縁部１０が面接触するよう重ね合わされている。
【００３３】
上記両対向縁部９，１０を互いに強固に連結させる連結具１２が、上記各対向縁部９，１０の長手方向（図面に直交する方向）に沿って複数設けられている。この連結具１２は、上記一方の対向縁部９に突設されるフック１３と、他方の対向縁部１０に形成された係止孔１４と上記フック１３とにそれぞれ掛合されるロープ１５とを備えている。
【００３４】
上記両対向縁部９，１０のうち、一方の対向縁部９に沿って長く延びる帯形状の被覆シート１７と、他方の対向縁部１０に沿って長く延びる帯形状の他の被覆シート１８とが設けられている。これら被覆シート１７，１８は、互いに平行に延びている。また、これら被覆シート１７，１８は、上記遮水シート７，８と同じ材質、同じ厚さとされている。
【００３５】
上記被覆シート１７の幅方向Ａの一端縁部１７ａは上記一方の対向縁部９に熱溶着Ｗ１により取り付けられている。また、上記被覆シート１７の他端縁部１７ｂは上記他方の対向縁部１０側に向けて突出し、上記被覆シート１７の他端縁部１７ｂは上記他方の対向縁部１０をその上方から少し離れて覆っている。上記他方の対向縁部１０と上記一方の被覆シート１７との間の空間２０には、熱可塑性遮水材２１が充填されている。この遮水材２１は、アスファルトマスチックといわれるもので、１６０±２０℃で粘性の大きい熱溶融状態（流動状態）となるものである。
【００３６】
上記他の被覆シート１８の幅方向Ａの一端縁部１８ａは上記他方の対向縁部１０に熱溶着Ｗ２により取り付けられている。また、上記他の被覆シート１８の他端縁部１８ｂは上記一方の対向縁部９側に向けて突出し、上記他の被覆シート１８の他端縁部１８ｂは上記一方の対向縁部９をその上方から少し離れて覆っている。上記一方の対向縁部９と上記他の被覆シート１８との間の空間２３にも上記遮水材２１が充填されている。
【００３７】
上記各空間２０，２３には、これら各空間２０，２３を所定寸法に維持する帯形状のスペーサ２４が挿入されている。このスペーサ２４は金属製や樹脂製の単数もしくは複数の剛性のある細線材を三次元的にジグザグ状や螺旋状などに屈曲させて、互いに絡み合わせたようなものである。そして、上記各スペーサ２４は、熱溶融状態の上記遮水材２１を通過可能とさせる。
【００３８】
上記各被覆シート１７，１８にはそれぞれ複数の貫通孔２６が形成されている。これら各貫通孔２６は熱溶融状態の上記遮水材２１を通過可能とさせる。
【００３９】
上記各被覆シート１７，１８の幅方向Ａで、これら対向縁部９，１０が互いに重ね合わされた部分２８と、上記各被覆シート１７，１８が互いに重ね合わされた部分２９とは互いにほぼ同じ所定寸法Ｌ１とされ、互いにほぼ同じところに配置されている。上記所定寸法Ｌ１はほぼ５００ｍｍとされる。
【００４０】
上記各被覆シート１７，１８の幅方向Ａで、これら被覆シート１７，１８から所定寸法Ｌ２だけ離れた各遮水シート７，８上にそれぞれＬ型の囲繞シート３１が熱溶着Ｗ３されている。これら各囲繞シート３１は、上方に向かって自立するようそれぞれ突設されている。上記所定寸法Ｌ２は、ほぼ２．５×所定寸法Ｌ１とされ、ほぼ１２５０ｍｍとされる。上記両囲繞シート３１，３１は、上記幅方向Ａに直交する水平方向に長く延びている。これら囲繞シート３１，３１の間の空間３２に上記遮水材２１が充填され、この遮水材２１に上記各被覆シート１７，１８は埋入されている。また、上記各囲繞シート３１の外面と、これに連なる上記各遮水シート７，８の上面には他の保護シート３３が敷設されている。
【００４１】
上記水底５に対し上記各遮水シート７，８などを設置することにより、上記水底５での遮水作業をしようとするときには、下記する水底５における遮水シート７，８同士の接合方法を含めて、次のようになされる。
【００４２】
即ち、まず、水底５上に保護シート６が敷設される。一方、大気中で、上記各遮水シート７，８にそれぞれ各被覆シート１７，１８と囲繞シート３１とが熱溶着Ｗ１−Ｗ３により取り付けられる。次に、上記各被覆シート１７，１８と囲繞シート３１と共に上記各遮水シート７，８が海水３中に沈められる。そして、上記各遮水シート７，８は、保護シート６を介し水底５に沿うようにこの水底５上に並設される。
【００４３】
次に、互いに隣り合う両遮水シート７，８の各対向縁部９，１０が互いに重ね合わされる。また、上記一方の対向縁部９に取り付けられた被覆シート１７が他方の対向縁部１０をその上方から覆うようにすると共に、他の被覆シート１８が上記被覆シート１７をその上方から覆うようにする。この際、上記他方の対向縁部１０と被覆シート１７との間の空間２０と、上記両被覆シート１７，１８の間の空間２３とにそれぞれスペーサ２４が挿入される。
【００４４】
次に、上記両対向縁部９，１０と両被覆シート１７，１８とを水平方向の各外方と上方とから取り囲む囲繞体３５が上記両遮水シート７，８上に形成される。上記囲繞体３５は、上記幅方向Ａに直交する水平方向に長く延び、上記各囲繞シート３１とこれら各囲繞シート３１の外面に敷設された保護シート３３とに外嵌する平面視で長方形枠状の側型枠３６と、この側型枠３６の上端開口を閉じる上面型枠３７と、この上面型枠３７を上記側型枠３６に着脱可能に連結する不図示の連結具とを備えている。上記囲繞体３５は板金製とされているが、コンクリート製であってもよい。
【００４５】
そして、上記囲繞体３５の内部の空間３２に熱溶融状態の遮水材２１が充填されるよう、注入管３９などを通して遮水材２１が注入される。すると、この遮水材２１は、まず、上記他の被覆シート１８の貫通孔２６等を通し上記両被覆シート１７，１８の間の空間２３と、この空間２３に挿入されたスペーサ２４内とに流入する。次に、上記遮水材２１は、上記被覆シート１７の貫通孔２６等を通し上記他方の対向縁部１０と被覆シート１７との間の空間２０と、この空間２０に挿入されたスペーサ２４内とに流入する。そして、上記遮水材２１は、上記各空間２０，２３と各スペーサ２４内とに充填させられる。この際、上記囲繞体３５内の海水３は上記遮水材２１により外部に向けて押し出される。また、上記遮水材２１は、その性質により、上記各シート７，８，１７，１８，３１に対し十分に密着して、十分な遮水性を発揮する。
【００４６】
次に、上記海水３と遮水材２１との間で温度交換が行われ、この遮水材２１の温度が低下させられて固化される。すると、これら被覆シート１７，１８や遮水材２１により、上記両遮水シート７，８の間のシールが達成されて、これら両遮水シート７，８が互いに接合され、上記水底５での遮水作業が終了する。
【００４７】
この結果、上記各遮水シート７，８、被覆シート１７，１８、および遮水材２１により、海水３の水中から水底５下方の地盤２への海水３の浸入が防止され、つまり、水底５での遮水が達成される。なお、その後、必要に応じて、上記囲繞体３５を除去すればよい。
【００４８】
上記構成によれば、両対向縁部９，１０のうち、一方の対向縁部９に沿って長く延び、その幅方向の一端縁部１７ａが上記一方の対向縁部９に取り付けられる一方、他端縁部１７ｂが上記他方の対向縁部１０側に向けて突出し、この他方の対向縁部１０をその上方から覆う帯形状の被覆シート１７と、上記他方の対向縁部１０と被覆シート１７との間の空間２０に充填された熱可塑性遮水材２１とを備えている。
【００４９】
このため、上記水底５に対し上記各遮水シート７，８などを設置することにより、上記水底５での遮水作業をしようとするときには、まず、上記両遮水シート７，８を水底５に設置し、上記被覆シート１７により他方の対向縁部１０をその上方から覆い、次に、熱溶融状態（流動状態）の遮水材２１を上記他方の対向縁部１０と被覆シート１７との間の空間２０に充填させるよう注入し、その後、固化させればよい。そして、これによれば、上記被覆シート１７，１８や遮水材２１により上記両遮水シート７，８の間のシールが達成されて、これら両遮水シート７，８が互いに接合される。
【００５０】
ここで、上記構成によれば、被覆シート１７の一端縁部１７ａは一方の対向縁部９に取り付けられていて、この一方の対向縁部９に対し被覆シート１７は予め適正に位置決めされている。このため、上記各遮水シート７，８を所定の相対位置となるよう水底５に設置しさえすれば、上記他方の対向縁部１０に対しても上記被覆シート１７は適正に位置決めされることとなる。よって、これら各対向縁部９，１０と被覆シート１７との互いの精度のよい位置決めが容易にできる分、上記水底５での遮水作業が、より容易にできる。
【００５１】
また、前記したように、他方の対向縁部１０に沿って長く延び、その幅方向の一端縁部１８ａが上記他方の対向縁部１０に取り付けられる一方、他端縁部１８ｂが上記被覆シート１７側に向けて突出し、この被覆シート１７をその上方から覆う帯形状の他の被覆シート１８と、上記両被覆シート１７，１８の間の空間２３に充填された上記遮水材２１とを備えている。
【００５２】
ここで、上記したように、他の被覆シート１８の一端縁部１８ａは他方の対向縁部１０に取り付けられていて、この他方の対向縁部１０に対し他の被覆シート１８は予め適正に位置決めされている。このため、上記各遮水シート７，８を所定の相対位置となるよう水底５に設置しさえすれば、上記一方の対向縁部９に対しても上記他の被覆シート１８は適正に位置決めされることとなる。よって、これら各対向縁部９，１０と他の被覆シート１８との互いの精度のよい位置決めが容易にできる分、上記水底５での遮水作業が、より容易にできる。
【００５３】
そして、前記したように、他方の対向縁部１０と被覆シート１７との間の空間２０に遮水材２１が充填されることに加えて、上記両被覆シート１７，１８の間の空間２３にも遮水材２１が充填される。よって、上記両遮水シート７，８の間のシールがより確実に達成される。
【００５４】
また、前記したように、空間２０，２３に挿入され、熱溶融状態の上記遮水材２１が通過可能なスペーサ２４を備えている。
【００５５】
このため、上記遮水作業において、上記空間２０，２３に遮水材２１を充填しようとするとき、この遮水材２１の重みなどにより、上記空間２０，２３が変形する、ということは上記スペーサ２４により防止され、この空間２０，２３は所望形状に維持される。よって、この空間２０，２３内への遮水材２１の充填が円滑かつ容易にでき、その分、上記遮水作業が更に容易にできる。
【００５６】
また、前記したように、各被覆シート１７，１８に複数の貫通孔２６を形成し、熱溶融状態の上記遮水材２１が上記各貫通孔２６を通過可能にしている。
【００５７】
このため、上記各空間２０，２３に対し遮水材２１を充填しようとして、上記各被覆シート１７，１８の外方から全体的に遮水材２１を供給するとき、この遮水材２１は、上記各貫通孔２６を通過することにより、上記各空間２０，２３に円滑かつ容易に充填される。よって、その分、上記遮水作業が更に容易にできる。
【００５８】
また、上記両遮水シート７，８の接合方法として、上記両遮水シート７，８を水底５に設置し、上記被覆シート１７により他方の対向縁部１０をその上方から覆い、
次に、上記両対向縁部９，１０と被覆シート１７とを水平方向の各外方と上方とから取り囲む囲繞体３５を上記両遮水シート７，８上に形成し、
次に、上記囲繞体３５の内部に熱溶融状態の熱可塑性遮水材２１を注入して、この遮水材２１を上記他方の対向縁部１０と被覆シート１７との間の空間２０に充填させるようにしている。
【００５９】
このため、上記他方の対向縁部１０と被覆シート１７との間の空間２０に遮水材２１を充填しようとするとき、この充填は上記囲繞体３５の内部を通して行われる。このため、上記囲繞体３５の容量や形状を適正に定めてやれば、上記空間２０に向けて注入しようとする遮水材２１が無用に水中に拡散する、ということが防止され、上記空間２０への遮水材２１の充填が効率よくできる。よって、その分、上記遮水作業が更に容易にできる。
【００６０】
なお、以上は図示の例によるが、埋立地１は湖岸や川岸であってもよく、池のようなところであってもよい。また、上記両対向縁部９，１０は、上下方向や幅方向Ａで互いに少し離れていてもよい。また、各遮水シート７，８への被覆シート１７，１８の取り付けは接着剤によるものであってもよく、縫合によるものであってもよい。また、上記連結具１２は接着剤であってもよく、なくてもよい。また、この連結具１２のフック１３に代えて係止孔としてもよく、また、係止孔１４に代えてフックとしてもよい。また、上記被覆シート１７，１８は、遮水シート７，８と同じ材質、同じ厚さでなくてもよい。また、上記他の被覆シート１８はなくてもよい。
【００６１】
また、上記遮水材２１は、次のものが選択可能である。即ち、不透水性材料や難透水性材料として、モルタル、コンクリート等の弾性的応答を示す遮水材の他、変形追随性のあるアスファルト混合物等の瀝青材料、粘土、貧配合固化処理土、その他土質系遮水材等の粘弾性的ないしは、粘性的応答を示す遮水材が選択できる。
【図面の簡単な説明】
【００６２】
【図１】図２の部分拡大断面図である。
【図２】埋立地の部分側面断面図である。
【符号の説明】
【００６３】
１    埋立地
５    水底５
７    遮水シート
８    遮水シート
９    対向縁部
１０  対向縁部
１７  被覆シート
１７ａ  一端縁部
１７ｂ  他端縁部
１８  被覆シート
１８ａ  一端縁部
１８ｂ  他端縁部
２０  空間
２１  遮水材
２３  空間
２４  スペーサ
２６  貫通孔
２８  重ね合わされた部分
２９  重ね合わされた部分
３５  囲繞体
Ａ    幅方向
Ｌ１  所定寸法
Ｌ２  所定寸法
Ｗ１  熱溶着
Ｗ２  熱溶着
Ｗ３  熱溶着
【図１】
2008023487.tif 000003
【図２】
2008023487.tif 000004